(57)【要約】【課題】回収した時点で色測定ができて、再生コストの低減を図ることができるリサイクル対応外装カバーを提供すること。【解決手段】樹脂材料により成形されたカバー本体の外表面に、紫外線を透過する部材３−１，３−２が脱着可能に取り付けられていることを特徴とする。【選択図】      図２
2004219641.tif 000002
【特許請求の範囲】
【請求項１】
樹脂材料により成形されたカバー本体の外表面に、紫外線を透過する部材が脱着可能に取り付けられていることを特徴とするリサイクル対応外装カバー。
【請求項２】
紫外線透過部材は、フィルム状となっている請求項１記載のリサイクル対応外装カバー。
【請求項３】
紫外線透過部材は、紫外線不透過部を同一フィルム上で隣接して備えている請求項２記載のリサイクル対応外装カバー。
【請求項４】
紫外線透過部材または紫外線不透過部を有する紫外線透過部材の取付部は、平面形状の突起部になっている請求項１ないし３のいずれかに記載のリサイクル対応外装カバー。
【請求項５】
再利用時に取付部にシールを貼り付けている請求項４記載のリサイクル対応外装カバー。
【請求項６】
請求項１ないし５のいずれかのリサイクル対応外装カバーを備えている画像形成装置。
【発明の詳細な説明】
【０００１】
【発明の属する技術分野】
この発明は、リサイクル対応外装カバーに関し、複写機、ＦＡＸ、プリンター等の外装カバー再利用のためのリサイクル技術、リサイクル促進法にて再利用が要望されている家電等の樹脂製外装カバーを有する各対象機器に応用可能である。
【０００２】
【従来の技術】
リサイクル法により材料の再資源化のみならず、部品の再利用が要望され促進されている。部品の再利用に関しては従来、経時での劣化が少なく簡易的清掃が可能な部品が優先されて実施されてきたが、再利用率を向上させるために寿命部品や外観部品等も再利用対象に挙げる必要が出てきた。家電やＯＡ機器にて搭載している外装カバーは軽量化、形状形成性等の理由により樹脂成形品が多く、又、安全上から難燃性を有するＡＢＳ、ＰＳ等の材料が多く使用されている。これらの樹脂で成形し、外装カバーを構成している機器は紫外線により経時で変色する。特に窓際等の日差しが多い場所に据置きられた機器の外装カバーは変色し易く、又、樹脂材料によっても変色の進度具合が異なるため、異材料で成形された隣接カバーは変色具合が異なっている。
【０００３】
以上のようにユーザーから回収された使用済機器は新品時と比べ外装カバー色は同じ製品でも個々に変色具合が異なり、又、更に市場稼動時及び回収後の輸送、保管時による粉塵汚れも加わっている。これらの外装カバーを再利用するためには汚れを清掃し、外観部品として許容可能な変色レベルを選別し、更に隣接カバー間の色のばらつきを許容可能なレベルにする必要がある。
【０００４】
上記許容レベルの色の計測には色差計を用いるが、再生コストを考慮した工程設定をすると、回収した時点で清掃する前に色測定するのが望ましい。又、変色具合の基準となる新品時の色基準を準備しておく必要がある。製品ごとに新品時の色が異なる場合はそれぞれの製品に照らし合わせて色基準を用意し、選択しなくてはならないという問題があった。
【０００５】
関連技術として、外装カバー表面にフィルムを貼り、異物付着時の場合でも使用後に剥すことで材料の再資源を可能としているものがある（例えば、特許文献１参照。）。
【０００６】
【特許文献１】
特開２０００−２０２８３０号公報（第２頁、図１，４）
【０００７】
しかし、この技術はリサイクル時に貼付物を無色透明フィルムから剥がして、外装カバー自体のリサイクル性を向上させ、リサイクル材料の再使用を図るものであり、外装カバーをその形のまま別の部品として再利用を図るこの発明とは目的を異にする。
【０００８】
【発明が解決しようとする課題】
そこでこの発明は、前記のような従来のものが有する問題点を解決し、回収した時点で色測定ができて、再生コストの低減を図ることができるリサイクル対応外装カバーを提供することを目的とする。
【０００９】
【課題を解決するための手段】
前記目的を達成するために、請求項１に記載の発明は、樹脂材料により成形されたカバー本体の外表面に、紫外線を透過する部材が脱着可能に取り付けられていることを特徴とする。請求項２に記載の発明は、請求項１において、紫外線透過部材は、フィルム状となっている。この場合、フィルム状となっている紫外線透過部材は、人手により容易に剥すことのできる程度の接着強度で貼り付けられているのが好ましい。請求項３に記載の発明は、請求項２において、紫外線透過部材は、紫外線不透過部を同一フィルム上で隣接して備えている。
【００１０】
請求項４に記載の発明は、請求項１ないし３のいずれかにおいて、紫外線透過部材または紫外線不透過部を有する紫外線透過部材の取付部は、平面形状の突起部になっている。請求項５に記載の発明は、請求項４において、再利用時に取付部にシールを貼り付けている。この場合、シールは、相溶性樹脂でできているのが好ましい。請求項６に記載の発明は、請求項１ないし５のいずれかのリサイクル対応外装カバーを備えている画像形成装置である。
【００１１】
【発明の実施の形態】
この発明の実施の形態を、添付図面を参照して説明する。
【００１２】
図１，２は実施の形態１を示し、樹脂製の外装カバー２に覆われた画像形成装置（画像形成機器）の一例として複写機１の外観を表している。この実施の形態は全外装カバーに適用されるが、説明としては図１のア視図（機器の左上部）の外装カバー２を実施した例として示す。図２に示すように外装カバー２は２ａ，２ｂ，２ｃ，２ｄの４個の部材で構成されているが、この例では外装カバー２ａ，２ｂについて示す。外装カバー２ａ，２ｂはカバー本体を有し、該本体の外表面には紫外線を透過する部材３−１，３−２が保持部材４により保持されて設けられている。
【００１３】
保持部材４は上下１対の部材からなり、両部材間に紫外線透過部材３−１，３−２を図２（Ａ）の左右方向にスライド可能にガイド保持できる形状になっている。紫外線透過部材３−１，３−２は保持部材４で保持された状態では外装カバー２ａ，２ｂの本体外表面に密着した状態となる。紫外線透過部材３−１，３−２としては紫外線を透過する無色透明な樹脂材料を用いるのが好ましい。前記したように紫外線透過部材３−１，３−２は全外装カバー２ａ，２ｂ，２ｃ，２ｄに適用してもよいし、特に日射される箇所の外装カバーに限定するのみでもよいし、異種材料の隣接外装カバー間に適用してもよい。
【００１４】
図３は実施の形態２を示し、この実施の形態では、外装カバー２ａ，２ｂのカバー本体の外表面に紫外線透過部材１３−１，１３−２が欠き穴によりスナップフィットにて保持されて設けられている。この紫外線透過部材１３−１，１３−２も保持された状態では外装カバー２ａ，２ｂの外表面に密着した状態となる。また、紫外線透過部材１３−１，１３−２としては紫外線を透過する無色透明な樹脂材料を用いるのが好ましい。外装カバーへの適用範囲なども前記した紫外線透過部材３−１，３−２と同様である。
【００１５】
図４は実施の形態３を示し、この実施の形態では、紫外線透過部材２３−１，２３−２が０．０５ｍｍ程度の薄い無色透明フィルム状となっており、該部材の裏面に塗布された接着剤２４により外装カバー２ａ，２ｂのカバー本体の外表面に接着されている。この接着強度は人手により容易に剥すことのできる程度の接着強度に調整されるのが好ましい。
【００１６】
前記実施の形態１〜３においては、複写機１を回収した後に外装カバー２ａ，２ｂ上の紫外線透過部材３−１，３−２，１３−１，１３−２，２３−１，２３−２を取り外し又は剥がし、この取り外し又は剥がして除去した部分の新品時の色に対する変色度と周囲の色の差を見比べて、該カバーがリサイクル可能かどうか判断する。変色度は新品時と同じ色基準プレートを用意し、色差計にて色差を計測する。周囲の色の差は紫外線透過部材３−１と３−２，１３−１と１３−２，２３−１と２３−２の隣接したカバー２ａ，２ｂ間の色差を計測する。すなわち、紫外線透過部材３−１，３−２，１３−１，１３−２，２３−１，２３−２があった部分は紫外線の透過により経時変化するが、この変色度と周囲色の差により前記の判断を行う。したがって、外装カバー２ａ，２ｂの再利用を行うための可否及び選別の判定が簡易となる。特に日射の影響を受け易い機器上部や正面上部にある外装カバーには有効である。
【００１７】
図５は実施の形態４を示し、この実施の形態では、紫外線透過部材３３−１，３３−２がその略半部表面に紫外線不透過部３５−１，３５−２を備え、紫外線透過部材３３−１，３３−２の紫外線透過部３３ａ−１，３３ａ−２と紫外線不透過部３５−１，３５−２が隣接配置した構成となっている。紫外線透過部材３３−１，３３−２は実施の形態３で説明した部材２３−１，２３−２と同様な部材であり、紫外線不透過部３５−１，３５−２は紫外線透過部材３３−１，３３−２の略半部表面に紫外線を通さない塗料を塗布するか、又は紫外線をミラー反射する蒸着膜を処理して構成される。この紫外線透過部材３３−１，３３−２の場合も裏面に実施の形態３で説明した接着剤２４と同様な接着剤３４が塗布されている。紫外線透過部材３３−１，３３−２は前記のような構成のほかに同じ大きさの紫外線透過部３３ａ−１，３３ａ−２と紫外線不透過部３５−１，３５−２が隣接して配置した構成としてもよい。
【００１８】
実施の形態４においては、複写機１を回収した後に外装カバー２ａ，２ｂ上の紫外線透過部材３３−１，３３−２を剥がし、この剥がした部分において、紫外線透過部材３３−１，３３−２の紫外線透過部３３ａ−１，３３ａ−２と紫外線不透過部３５−１，３５−２の変色度を見比べるとともに、これら紫外線透過部３３ａ−１，３３ａ−２及び紫外線不透過部３５−１，３５−２の変色度と周囲の色の差（紫外線透過部３３ａ−１と３３ａ−２の隣接したカバー２ａ，２ｂ間の色の差）を見比べて、該カバーがリサイクル可能かどうか判断する。すなわち、紫外線透過部３３ａ−１，３３ａ−２と周囲色の差による判断は前記と同様であり、また紫外線透過部３３ａ−１，３３ａ−２があった部分は紫外線の透過により経時変化し、紫外線不透過部３５−１，３５−２では元の色がわかるので、それらを見比べて判断する。したがって、外装カバー２ａ，２ｂの再利用を行うための可否及び選別の判定が簡易となる。特に日射の影響を受け易い機器上部や正面上部にある外装カバーには有効である。
【００１９】
図６は実施の形態５を示し、この実施の形態では、外装カバー２ａ，２ｂのカバー本体の外表面に平面形状の突起部からなる取付部４１が設けられ、該取付部の表面に前記フイルム状の紫外線透過部材２３−１，２３−２又は３３−１，３３−２が貼り付けられるようになっている。取付部４１の面の大きさは紫外線透過部材２３−１，２３−２又は３３−１，３３−２の形状に対して同等以上にするのが好ましい。
【００２０】
再利用時に例えば紫外線透過部材３３−１，３３−２を剥した跡は紫外線透過部３３ａ−１，３３ａ−２の跡と紫外線不透過部３５−１，３５−２の跡に色の差が露出し、外観品質を損ねる。これを補うために紫外線透過部材３３−１，３３−２を剥した跡である取付部４１に、該形状に合わせたシール（図示省略）を貼り付ける。シールは外観を損ねないために貼るためのもので、再利用時の許容レベルの色で作成したり、操作表示用デカル、又はリサイクル表示等のデザインシールとしてもよい。又、シールが貼られた外装カバーが最も一般的に使用されているＡＢＳやＰＳ、ＰＣ＋ＡＢＳの場合、再資源化処理されることを考慮し、シール及び接着剤がＡＢＳやＰＳ、ＰＣ＋ＡＢＳに相溶性を有する材質とする。
【００２１】
図１に示したように画像形成装置としての複写機１は多数の樹脂製の外装カバー２ａ〜２ｄで覆われており、オフィス環境下で使用され、又、窓際等にも設置されるために、外装カバーの再利用は非常に難しい。しかし、前記各実施の形態の何れかを有する外装カバーを複写機に搭載することにより、外装カバーの再利用が可能となる。
【００２２】
前記各実施の形態で示した紫外線透過部材の具体的な形状、構造や配置位置などは任意であり、その実施に際して特許請求の範囲に記載した技術的事項の範囲内で種々の設計的な変更や修正が可能である。
【００２３】
【発明の効果】
請求項１に記載の発明では、ユーザーから使用済となった機器を回収時に紫外線透過部材を取り外すことにより、市場稼動時や回収時の輸送、保管時の汚れの影響が無く、紫外線による外装カバーの変色を測定することができる。これにより、再生コストの低減を図ることができる。
【００２４】
請求項２，３に記載の発明では、紫外線透過部材を保持する外装カバー外表面に構成された保持部材が不要となり、紫外線透過部材の脱着性が向上する。したがって、部品費および作業費のコスト削減ができる。
【００２５】
請求項４，５に記載の発明では、曲面形状の外装カバーであっても一部に所定の面積の、平面形状の取付部を設けることにより色差測定が可能となる。また、再利用時に変色した部分と変色していない部分が外装カバーの外表面上に露出しないため外観品質を損なわない。
【００２６】
請求項６に記載の発明では、多数の樹脂製外装カバーで覆われた構成をもつ画像形成装置（複写機、ＦＡＸ、プリンター等の機器）でも外装カバーの再利用の可否及び選別の判定が簡易となる。
【図面の簡単な説明】
【図１】この発明の実施形態１である複写機の外観を示す斜視図である。
【図２】図１のア部の拡大図で、（Ａ）は正面図、（Ｂ）は（Ａ）の矢印イ方向からみた側面図である。
【図３】実施の形態２を示す図２相当の拡大図で、（Ａ）は正面図、（Ｂ）は（Ａ）の矢印ウ方向からみた側面図である。
【図４】実施の形態３を示す図２（Ａ）相当の拡大正面図である。
【図５】実施の形態４を示し、（Ａ）は図２（Ａ）相当の拡大正面図、（Ｂ）は紫外線透過部材の正面図、（Ｃ）は同底面図である。
【図６】実施の形態５を示す拡大斜視図である。
【符号の説明】
１  複写機
２（２ａ，２ｂ，２ｃ，２ｄ）  外装カバー
３−１，３−２，１３−１，１３−２，２３−１，２３−２  紫外線透過部材
４  保持部材
２４，３４  接着剤
３３−１，３３−２  紫外線透過部材
３３ａ−１，３３ａ−２  紫外線透過部
３５−１，３５−２  紫外線不透過部
【図１】
2004219641.tif 000003
【図２】
2004219641.tif 000004
【図３】
2004219641.tif 000005
【図４】
2004219641.tif 000006
【図５】
2004219641.tif 000007
【図６】
2004219641.tif 000008